(57)【要約】【課題】給油所システム等の装置構成を簡略化して設備コストを低く抑える。【解決手段】給油ポンプから流量計を介して給油ノズルに燃料油を送る給油機構と、給油機構を制御する給油制御装置と、給油制御装置と通信可能で、給油機構を制御するための給油設定を行うタブレット端末２ａとを備える給油装置２。タブレット端末は、給油装置に表示された給油装置情報を含む識別コードを読み取ることで給油制御装置と通信可能とすることができる。給油装置の給油制御装置及びタブレット端末と通信可能で、給油装置及びタブレット端末に給油許可信号を送信すると共に、給油装置から給油データを受信するサーバ３であって、給油装置が設置された給油所と、給油所を含む複数の給油所の情報管理を行うサーバ。給油装置とサーバとを備える給油所システム１。【選択図】図１
2020090293.tif 000002
【特許請求の範囲】
【請求項１】
給油ポンプから流量計を介して給油ノズルに燃料油を送る給油機構と、
該給油機構を制御する給油制御装置と、
該給油制御装置と通信可能で、前記給油機構を制御するための給油設定を行うタブレット端末とを備えることを特徴とする給油装置。
【請求項２】
前記タブレット端末は、該給油装置に表示された給油装置情報を含む識別コードを読み取ることで前記給油制御装置と通信可能となることを特徴とする請求項１に記載の給油装置。
【請求項３】
前記タブレット端末は、所定の位置でのみ作動することを特徴とする請求項１又は２に記載の給油装置。
【請求項４】
前記タブレット端末は、認識した顧客の音声に基づいて前記給油設定を行うことを特徴とする請求項１、２又は３に記載の給油装置。
【請求項５】
前記タブレット端末は、表示器としても機能することを特徴とする請求項１乃至４のいずれかに記載の給油装置。
【請求項６】
請求項１乃至５のいずれかに記載の給油装置の給油制御装置及びタブレット端末と通信可能で、該給油装置及びタブレット端末に給油許可信号を送信すると共に、前記給油装置から給油データを受信するサーバであって、
該給油装置が設置された給油所と、該給油所を含む複数の給油所の情報管理を行うことを特徴とするサーバ。
【請求項７】
請求項１乃至５のいずれかに記載の給油装置と請求項６に記載のサーバとを備えることを特徴とする給油所システム
【発明の詳細な説明】
【技術分野】
【０００１】
本発明は、給油装置、サーバ及び給油所システムに関し、特に、装置構成を簡略化して設備コストを低く抑えた給油所システム等に関する。
【背景技術】
【０００２】
車両の燃料タンクにガソリン等の燃料油を給油する給油所では、例えば特許文献１に記載のように、車両に燃料油を給油する給油装置と、給油装置からの給油データを受けて事務所内で給油データの管理や精算処理を行うＰＯＳ本体と、このＰＯＳ本体との間で給油エリア内で給油設定や精算処理を行うＰＯＳ外設機等を備える。
【０００３】
また、最近では、スマートフォン、タブレット等の携帯端末が普及し、通話機能だけでなく、接客、施設や在庫の管理、点検等、様々な業務に利用されている。また、ガソリン等の燃料油を給油する給油所でも、ＩｏＴ等の新たな技術の活用が求められている。
【先行技術文献】
【特許文献】
【０００４】
【特許文献１】特開２０１３−２３５５２４号公報
【発明の概要】
【発明が解決しようとする課題】
【０００５】
本発明は、上記従来の技術に鑑みてなされたものであって、携帯端末の機能を用いて給油所システム等の装置構成を簡略化し、設備コストを低く抑えることを目的とする。
【課題を解決するための手段】
【０００６】
上記目的を達成するため、本発明は、給油装置であって、給油ポンプから流量計を介して給油ノズルに燃料油を送る給油機構と、該給油機構を制御する給油制御装置と、該給油制御装置と通信可能で、前記給油機構を制御するための給油設定を行うタブレット端末とを備えることを特徴とする。
【０００７】
本発明によれば、タブレット端末によって給油設定を行うため、従来の給油装置に用いられていたデータ入出力機（ＰＯＳ外設機）が不要になり、装置コストを低減することができる。また、タブレット端末を用いることで従来の煩わしい配線作業が不要となり、組立性が向上する。さらに、タブレット端末が故障した場合でも、予備のタブレット端末や使用頻度の低いタブレット端末と取り替えることで、容易に対応することができる。
【０００８】
上記給油装置において、前記タブレット端末は、該給油装置に表示された給油装置情報を含む識別コードを読み取ることで前記給油制御装置と通信可能となるように構成することができ、給油所の作業員がタブレット端末で給油装置の識別コードを読み取るだけで利用可能になるため、利便性に優れる。
【０００９】
また、前記タブレット端末を所定の位置でのみ作動するように構成することで、非危険場所の定められた位置でのみタブレット端末を作動させることができ安全である。
【００１０】
さらに、前記タブレット端末を、認識した顧客の音声に基づいて給油設定を行うように構成することで、顧客による給油設定操作の簡略化を図ることができる。
【００１１】
また、前記タブレット端末を表示器としても機能させることで、給油装置の設備コストをさらに低減することができる。
【００１２】
また、本発明は、上記いずれかの給油装置の給油制御装置及びタブレット端末と通信可能で、該給油装置及びタブレット端末に給油許可信号を送信すると共に、前記給油装置から給油データを受信するサーバであって、該給油装置が設置された給油所と、該給油所を含む複数の給油所の情報管理を行うことを特徴とする。
【００１３】
本発明によれば、タブレット端末の機能を用いて給油装置とサーバの紐付けを行い、給油を行うことができると共に、サーバが各給油所からの給油データ等を一括して管理することができるため、各給油所に設置されていたＰＯＳ本体が不要となる。
【００１４】
また、本発明は、上記いずれかの給油装置と上記サーバとを備えることを特徴とし、従来のデータ入出力機（ＰＯＳ外設機）やＰＯＳ本体が存在しない給油所システムを実現することができる。
【発明の効果】
【００１５】
以上のように、本発明によれば、装置構成を簡略化して設備コストを低く抑えた給油所システム等を提供することができる。
【図面の簡単な説明】
【００１６】
【図１】本発明に係る給油所システムの一実施の形態を示す概略図である。
【図２】図１に示す給油所システムの給油所開店時の動作を示すフローチャートである。
【図３】図１に示す給油所システムの給油時の動作を示すフローチャートである。
【発明を実施するための形態】
【００１７】
次に、本発明を実施するための形態について、図面を参照しながら詳細に説明する。
【００１８】
図１は、本発明に係る給油所システムの一実施の形態を示し、この給油所システム１は、タブレット端末２ａを有する給油装置２と、サーバ３とで構成される。
【００１９】
給油装置２は、給油ポンプから流量計を介して給油ノズルに燃料油を送る給油機構と、該給油機構を制御する給油制御装置と、給油制御装置と通信可能で、給油機構を制御するための給油設定を行うタブレット端末２ａとを備える。また、給油装置２は、本体表面に印字される、又は本体表面に貼付されるシールに印字される識別コード２ｂと、タブレット端末２ａを載置する載置部２ｃとを備える。
【００２０】
タブレット端末２ａは、給油所が所有するものであって、給油装置２のデータ入出力機及び給油量等の表示器として機能し、インターネット等を介して給油装置２及びサーバ３と通信可能である。また、このタブレット端末２ａは、カメラにより顧客を認証する生体認証機能も有する。
【００２１】
識別コード２ｂには、給油所情報が含まれており、この給油所情報には、例えば、給油所名と、給油装置番号及び給油エリアからなる給油装置情報が含まれる。
【００２２】
サーバ３は、給油装置２が設置された給油所、及びこの給油所を含む全国の給油所からの給油データを一括管理し、上述のように、給油装置２及びタブレット端末２ａ等とインターネット等を介して通信可能である。サーバ３は、給油装置２から受信した給油データ等を顧客毎に蓄積する。
【００２３】
携帯端末４は、顧客が所有するスマートフォンや、タブレット端末等であって、インターネット等を介してサーバ３と通信する通信手段と、クレジット（料金後払い）決済機能等を備える。尚、携帯端末４を所有する顧客は、クレジットカード（以下「カード」という）会社と予め契約しており、顧客名及びカード番号等の顧客情報は予めサーバ３に登録されているものとする。
【００２４】
カード会社５は、上述のように、顧客と予め契約しており、サーバ３と通信を行うための通信手段を備える。
【００２５】
次に、上記構成を有する給油所システム１の給油所開店時の動作について、図１及び図２を参照しながら説明する。尚、図２のルートが分岐するステップにおいては、下方向がＹｅｓ、横方向がＮｏに対応する。
【００２６】
図２のタブレット端末２ａのステップＳ１において、給油所作業員がタブレット端末２ａを介して給油装置２の識別コード２ｂを読み取ると（ステップＳ１；Ｙｅｓ）、タブレット端末２ａは識別コード２ｂに含まれる給油所情報をサーバ３に出力し（ステップＳ２）、ステップＳ３において、タブレット端末２ａが給油所の所定の位置に存在するか、すなわち載置部２ｃ上に位置するか否かを検知し、載置部２ｃ上に位置する場合には（ステップＳ３；Ｙｅｓ）、サーバ３に所定位置に存在する旨を示す信号を送信する（ステップＳ４）。
【００２７】
ステップＳ１１において、タブレット端末２ａから給油所情報が入力されたサーバ３は（ステップＳ１１；Ｙｅｓ）、給油装置２とタブレット端末２ａの紐付けを行い（ステップＳ１２）、ステップＳ１３において、タブレット端末２ａから所定位置に存在する旨を示す信号が入力されると（ステップＳ１３；Ｙｅｓ）、タブレット端末２ａに使用可能信号を出力する（ステップＳ１４）。ステップＳ５において、サーバ３から使用可能信号が入力されたタブレット端末２ａは（ステップＳ５；Ｙｅｓ）、後述する給油時に使用可能になる（ステップＳ６）。
【００２８】
次に、上記構成を有する給油所システム１の給油時の動作について、図１及び図３を参照しながら説明する。尚、図３のルートが分岐するステップにおいても、特別な記載がない限り、下方向がＹｅｓ、横方向がＮｏに対応する。
【００２９】
上述のようにして使用可能になったタブレット端末２ａにより、ステップＳ２１において、カメラによって顧客の生体認証を行い（ステップＳ２１；Ｙｅｓ）、生体認証によって得られた顧客情報を給油装置２とサーバ３に出力する（ステップＳ２２）。ここで、本動作における顧客情報はカード番号を含むこととする。
【００３０】
サーバ３のステップＳ３１において、タブレット端末２ａから顧客情報が入力されると（ステップＳ３１；Ｙｅｓ）、カード会社５にカード番号を含む与信確認信号を出力する（ステップＳ３２）。ステップＳ５１において、サーバ３から与信確認信号が入力されたカード会社５は（ステップＳ５１；Ｙｅｓ）、ステップＳ５２において、カード番号から顧客の与信を確認し、与信が確認できれば（ステップＳ５２；Ｙｅｓ）、与信ＯＫ信号をサーバ３に出力する（ステップＳ５３）。一方、指定された顧客の与信を確認することができない場合には（ステップＳ５２；Ｎｏ）、与信ＮＯ信号をサーバ３に出力してカード会社５の動作を終了する（ステップＳ５４）。
【００３１】
サーバ３のステップＳ３３において、カード会社５から与信ＯＫ信号が入力されると（ステップＳ３３；Ｙｅｓ）、給油装置２及びタブレット端末２ａに給油許可信号を送信する（ステップＳ３４）。
【００３２】
一方、ステップＳ３３において、与信ＯＫ信号が入力されず（ステップＳ３３；Ｎｏ）、ステップＳ３５において、カード会社５から与信ＮＯ信号が入力されると（ステップＳ３５；Ｙｅｓ）、携帯端末４に与信ＮＯ信号を出力してサーバ３の動作を終了する（ステップＳ３６）。携帯端末４のステップＳ６１において、サーバ３から与信ＮＯ信号が入力されると（ステップＳ６１；Ｙｅｓ）、カード支払及び給油不可を報知して携帯端末４の動作を終了する（ステップＳ６２）。この場合には、顧客は給油を行うことができない。
【００３３】
ステップＳ２３において、給油許可信号が入力されたタブレット端末２ａは（ステップＳ２３；Ｙｅｓ）、ステップＳ２４で顧客によって給油設定が入力され（ステップＳ２４；Ｙｅｓ）、入力された給油設定を給油装置２に送信する（ステップＳ２５）。
【００３４】
上記タブレット端末２ａのステップＳ２２により、ステップＳ７１で生体認証情報が入力された給油装置２において（ステップＳ７１；Ｙｅｓ）、ステップＳ７２でサーバ３から給油許可信号が入力された後（ステップＳ７２；Ｙｅｓ）、ステップＳ７３でタブレット端末２ａから給油設定が入力されると（ステップＳ７３；Ｙｅｓ）顧客がノズル掛けから給油ノズル２６を取り外すことでノズルＳＷ（スイッチ）がＯＮになる（ステップＳ７４；Ｙｅｓ）。
【００３５】
ここで、顧客が給油設定で選択した油種に対応する給油ノズルを取り外していれば（ステップＳ７５；Ｙｅｓ）、タブレット端末２ａの表示部にリセット信号が送信され、前回なされた給油に関する情報の帰零（リセット）がなされると共に、給油ポンプが駆動される（ステップＳ７６）。
【００３６】
一方、ステップＳ７５において、顧客が誤った給油ノズル２６を取り外していた場合には（ステップＳ７５；Ｎｏ）、タブレット端末２ａの表示部等を介して顧客に給油ノズル２６を確認するよう報知する（ステップＳ７７）。
【００３７】
ステップＳ７８において、給油ポンプが駆動されて流量計もＯＮになり、さらに流量パルス発信器がＯＮになり、流量パルス発信器からパルス信号がタブレット端末２ａの表示部に送信されると（ステップＳ７８；Ｙｅｓ）、タブレット端末２ａの表示部に計数表示信号が出力され（ステップＳ７９）、ステップＳ２６で計数表示信号が入力されたタブレット端末２ａは（ステップＳ２６；Ｙｅｓ）給油量を表示して動作を終了する（ステップＳ２７）。
【００３８】
給油装置２のステップＳ８０において、顧客が給油ノズル２６をノズル掛けに戻すことでノズルＳＷがＯＦＦになると（ステップＳ８０；Ｙｅｓ）、給油ポンプの駆動を停止し（ステップＳ８１）、サーバ３に給油データを出力して給油装置２の動作を終了する（ステップＳ８２）。
【００３９】
サーバ３のステップＳ３７において、給油装置２から給油データが入力されると（ステップＳ３７；Ｙｅｓ）、給油データを保存すると共に（ステップＳ３８）、給油データに基づいて精算データを生成してカード会社５に出力する（ステップＳ３９）。カード会社５のステップＳ５５において、サーバ３から精算データが入力されると（ステップＳ５５；Ｙｅｓ）、決済を行い（ステップＳ５６）、決済完了信号をサーバ３に出力してカード会社５の動作を終了する（ステップＳ５７）。カード会社５から決済完了信号が入力されたサーバ３は（ステップＳ４０；Ｙｅｓ）、携帯端末４に決済完了信号を転送して動作を終了する（ステップＳ４１）。サーバ３から決済完了信号が入力された携帯端末４は（ステップＳ６３；Ｙｅｓ）、給油明細を画面に表示して動作を終了する（ステップＳ６４）。
【００４０】
以上のように、本発明によれば、給油装置２のデータ入出力機（ＰＯＳ外設機）及び表示器として機能するタブレット端末２ａを用いたため、給油装置２の設備及び保守コストを低減できる。また、タブレット端末２ａの機能を用いて給油装置２とサーバ３の紐付けを行い、給油を行うことができるため、サーバ３が各給油所からの給油データ等を一括して管理することができるようになり、各給油所に設置されていたＰＯＳ本体が不要となる。
【００４１】
尚、上記実施の形態においては、タブレット端末２ａで給油装置２の識別コード２ｂを読み取ることで、タブレット端末２ａを給油装置２の一部として作動させたが、予めタブレット端末２ａ内に、給油エリア毎に対応する給油所名、給油装置番号を保存、選択することでタブレット端末２ａと給油装置２給油制御装置とを通信可能とすることもできる。これにより、識別コード２ｂが不正に使用されることを防止することができる。
【００４２】
また、タブレット端末２ａが作動する位置を給油装置２の載置部２ｃ上としたが、給油所の非危険場所であれば他の位置でもよい。また、タブレット端末２ａとして、音声認識機能を有するものを用いれば、顧客による給油設定操作を簡略化できて好ましい。
【００４３】
さらに、上記実施の形態においては、顧客がカードで支払うことを前提として説明したが、給油所に設置される支払機を用いれば、現金払いにも対応可能である。
【符号の説明】
【００４４】
１  給油所システム
２  給油装置
２ａ  タブレット端末
２ｂ  識別コード
２ｃ  載置部
３  サーバ
４  携帯端末
５  カード会社
【図１】
2020090293.tif 000003
【図２】
2020090293.tif 000004
【図３】
2020090293.tif 000005